(57)【要約】【課題】洗濯兼脱水槽３を内包する外槽１を有した洗濯機において、排水性能を向上させ洗濯性能の悪化を防止する洗濯機を実現する。【解決手段】パルセータ２を配設した洗濯兼脱水槽３と、洗濯兼脱水槽３を内包した外槽１と、外槽１内の洗濯水を外部へ排出する排水口９とを備え、外槽１の底面には、洗濯兼脱水槽３の回転軸を中心とした円周状の溝断面形状からなる排水経路２２を設け、排水経路２２内に排水口９を配設するとともに、排水経路２２と排水口９とを傾斜面からなるロート部１０で結合したので、排水効率を高め洗濯水の排水時に起こる外槽内の残水を低減できる。【選択図】図２
2013141555.tif 000002
【特許請求の範囲】
【請求項１】
パルセータを配設した洗濯兼脱水槽と、前記洗濯兼脱水槽を内包した外槽と、前記外槽内の洗濯水を外部へ排出する排水口とを備え、前記外槽の底面には、前記洗濯兼脱水槽の回転軸を中心とした円周状の溝断面形状からなる排水経路を設け、前記排水経路内に前記排水口を配設するとともに、前記排水経路と前記排水口とを傾斜面からなるロート部で結合したことを特徴とする洗濯機。
【請求項２】
前記排水経路の底面を、前記排水口へ下降する傾斜を有する傾斜面で構成した請求項１記載の洗濯機。
【発明の詳細な説明】
【技術分野】
【０００１】
本発明は、洗濯兼脱水槽を内包し底面に排水口を配設した外槽を有する洗濯機に関するものである。
【背景技術】
【０００２】
従来、代表的な洗濯機は、パルセータと呼ばれる撹拌翼を有する洗濯兼脱水槽を内包し、洗濯水を貯水する外槽を有する洗濯機であり、この種の洗濯機の構成を図４ならびに図５を参照しながら説明する。（例えば、特許文献１参照）。
【０００３】
図４ならびに図５に示すように、外槽１は、底部にパルセータ２を回転自在に配設した洗濯兼脱水槽３を内包し、サスペンション４により洗濯機の本体５に吊り下げている。モータ６は、ベルト７および伝達機構部８を介して、パルセータ２または洗濯兼脱水槽３を駆動する。排水口９は単一平面で構成する外槽１の底面一端に設けられ洗濯水を排水し、ロート部１０と開口部１１により構成される。排水弁１２は排水口９と連結して取付けられ洗濯水の排水を止水する弁であり、脱水時に外槽１へ貯水された洗濯水の排水制御を行う機能部品として配設されている。
【０００４】
給水弁１３は洗濯兼脱水槽３内に給水するための給水弁であり、給水ホース１４を介して水道栓に取り付けられている。洗濯兼脱水槽３の上部には、脱水回転時の振動抑制を行うための流体バランサー１５が設けられている。また洗濯機の本体５の上部には、洗濯兼脱水槽３の閉鎖体となる蓋１６が配設されるとともに、蓋１６の近傍に制御装置１７が設けられている。制御装置１７は、主にモータ６、排水弁１２、給水弁１３などの動作を制御するとともに、洗濯、すすぎ、脱水などの各運転行程を逐次制御するものとしている。
【０００５】
以上のように構成された全自動洗濯機について、その動作を以下に説明する。
【０００６】
洗濯兼脱水槽３に洗濯物と所定量の洗剤を投入した後、運転を開始すると制御装置１７により給水弁１３を制御し、洗濯兼脱水槽３内に所定量の水を給水する。そして制御装置１７によりモータ６を制御しパルセータ２を駆動する。パルセータ２の回転によって洗濯兼脱水槽３内の洗濯物と水との撹拌を達成させる。この撹拌の作用によって洗剤は徐々に溶解され、洗濯水となって汚れをおとす。設定された所定の時間を経過した後、パルセータ２の回転が停止し、排水弁１２の動作により排水口９を介して排水されることとなる。
【先行技術文献】
【特許文献】
【０００７】
【特許文献１】特開２００２−１０２５８３号公報
【発明の概要】
【発明が解決しようとする課題】
【０００８】
しかしながら、このような従来の洗濯機の場合、単一平面で構成される底面では、ロート部１０を設けた排水口９でも、底面全域からの排水がうまく誘導できず洗濯水の残水が生じていた。特にこの残水は、脱水運転時の泡立ちを引起す問題があり、泡立ちによる影響としては、洗濯兼脱水槽の回転抵抗増加による回転数低下により脱水不良の発生やモータの異常温度上昇など洗濯性能の低下につながる課題を有していた。
【０００９】
本発明は、上記課題を解決するもので、洗濯兼脱水槽を内包する外槽を有した洗濯機において、排水性能の向上で残水の防止を行い、洗濯性能を低下させない洗濯機を提供することを目的としている。
【課題を解決するための手段】
【００１０】
本発明は上記目的を達成するために、パルセータを配設した洗濯兼脱水槽と、前記洗濯兼脱水槽を内包した外槽と、前記外槽内の洗濯水を外部へ排出する排水口とを備え、前記外槽の底面には、前記洗濯兼脱水槽の回転軸を中心とした円周状の溝断面形状からなる排水経路を設け、前記排水経路内に前記排水口を配設するとともに、前記排水経路と前記排水口とを傾斜面からなるロート部で結合したことを特徴とする洗濯機とするものである。
【００１１】
これにより、洗濯兼脱水槽を内包する外槽による排水性能が向上し、残水が低減するので洗濯性能が低下しない洗濯機を実現することができる。
【発明の効果】
【００１２】
本発明の洗濯機は、パルセータを配設した洗濯兼脱水槽と、前記洗濯兼脱水槽を内包した外槽と、前記外槽内の洗濯水を外部へ排出する排水口とを備え、前記外槽の底面には、前記洗濯兼脱水槽の回転軸を中心とした円周状の溝断面形状からなる排水経路を設け、前記排水経路内に前記排水口を配設するとともに、前記排水経路と前記排水口とを傾斜面からなるロート部で結合したことにより、外槽の底面全域から洗濯水を排水口へ誘導することが可能となり、排水効率を高め洗濯水の排水時に生じやすい外槽内の残水を低減できるものとなる。このように、残水が原因で発生する泡立ち問題の防止につながり、特に残水が原因による泡立ちでの脱水回転数の低下や、モータ負荷の拡大による異常温度上昇などによる洗濯性能の低下を防ぐことができるようになるものである。
【図面の簡単な説明】
【００１３】
【図１】本発明の実施の形態１の洗濯機の側断面図
【図２】同洗濯機の外槽底面の主要断面斜視図
【図３】同洗濯機の外槽底面の平面図
【図４】従来の洗濯機の側断面図
【図５】従来の外槽底面の主要断面斜視図
【発明を実施するための形態】
【００１４】
第１の発明は、パルセータを配設した洗濯兼脱水槽と、前記洗濯兼脱水槽を内包した外槽と、前記外槽内の洗濯水を外部へ排出する排水口とを備え、前記外槽の底面には、前記洗濯兼脱水槽の回転軸を中心とした円周状の溝断面形状からなる排水経路を設け、前記排水経路内に前記排水口を配設するとともに、前記排水経路と前記排水口とを傾斜面からなるロート部で結合したことを特徴とする洗濯機としたことにより、外槽の底面全域から洗濯水を排水口へ誘導することが可能となり、排水効率を高め洗濯水の排水時に生じやすい外槽内の残水を低減できるものとなる。これは、残水が原因で発生する泡立ち問題の防止につながり、特に残水が原因による泡立ちでの脱水回転数の低下や、モータ負荷の拡大による異常温度上昇などによる洗濯性能の低下を防ぐ。
【００１５】
第２の発明は、特に第１の発明の排水経路の底面を、前記排水口へ下降する傾斜を有する傾斜面で構成したことにより、外槽の底面の洗濯水を排水口へより円滑に導くことができる。
【００１６】
以下、本発明の実施の形態について、図面を参照しながら説明する。なお、従来例と同じ構成のものは同一符号を付して説明を省略する。また、この実施の形態によって本発明が限定されるものではない。
【００１７】
（実施の形態１）
図１は本発明の実施の形態１における洗濯機の側断面図、図２は外槽底面の主要断面斜視図である。図３は外槽底面の平面図である。
【００１８】
図１から図３において、洗濯機の本体５は、サスペンション４により外槽１をその内部に懸垂防振支持している。洗濯兼脱水槽３は側壁に多数の脱水孔１８を有するとともに、下部中央底部にはナベ型の形状に形成したパルセータ２が配設されている。
【００１９】
伝達機構部８は内部に洗濯時の減速ギア（図示せず）および洗濯・脱水軸の切り換えクラッチ（図示せず）と、脱水時に洗濯兼脱水槽３を停止するためのブレーキ（図示せず）を内蔵している。
【００２０】
モータ６は外槽１の底部に取り付けられ、プーリおよびベルト７を介してモータ６の動力を洗濯・脱水軸に伝達する。
【００２１】
外槽１の底面には洗濯水を排水する排水口９を設けている。また、外槽１の底面には断面形状が溝状で、洗濯兼脱水槽３の回転軸を中心とした円周状の排水経路２２を設け、この排水経路２２の底面２２ａには、排水口９へと下降するように傾斜した傾斜面を設けており、外槽１の底面の洗濯水を排水口９へ導く。
【００２２】
図３に示すように、斜線範囲を排水経路２２としてその内部には、排水口９の入り口となる開口部１１に排水経路２２に入った洗濯水を導くための傾斜を持った傾斜面からなるロート部１０を設け、外槽１の底面の洗濯水を排水口９へ円滑に導くように構成している。
【００２３】
外槽１の外部には排水口９に連結して取付けられた排水弁１２が設けられており、排水制御部品として配設されている。
【００２４】
また、洗濯兼脱水槽３内に給水するための給水弁１３が設けられており、給水ホース１４を介して水道栓（図示せず）に取り付けられている。
【００２５】
洗濯兼脱水槽３の上部には、脱水回転時の振動抑制を行うための流体バランサー１５が設けられている。また洗濯機の本体５の上部には、洗濯兼脱水槽３の閉鎖体となる蓋１６が配設されるとともに、蓋１６の近傍に制御装置１７が設けられている。
【００２６】
制御装置１７は、主にモータ６、排水弁１２、給水弁１３などの動作を制御するとともに、洗濯、すすぎ、脱水などの各運転行程を逐次制御するものとしている。
【００２７】
上記構成において動作を説明すると、洗濯兼脱水槽３内に洗濯物と洗剤を投入した後、運転を開始すると、制御装置１７は給水弁１３を作動させ給水を開始する。そして、洗濯兼脱水槽３が回転を始め、洗濯兼脱水槽３の内部水位が設定水位に達するまでの間、洗濯兼脱水槽３は回転する。設定水位に達した時点で給水弁１３の動作を停止し、洗濯兼脱水槽３の内底部に回転自在に配設したパルセータ２を設定時間まで回転駆動する。設定時間に到達した後、制御装置１７は、排水弁１２を作動させて排水を開始し、外槽１内の洗濯水は排水口９を介し排水弁１２から排水される。
【００２８】
このとき外槽１の底面では、洗濯兼脱水槽３の回転軸を中心とし円周状に形成した排水経路２２により、外槽１の底面全域から洗濯水を排水口９へ誘導する。これにより、排水効率を高めることができ、洗濯水の排水時に起こる外槽内の残水が低減できるようになる。
【００２９】
このように、残水が原因で発生する泡立ちの防止につながり、特に残水による泡立ちでの脱水回転数の低下や、モータの負荷拡大による異常温度上昇などを防止でき、洗濯性能が低下しない。
【００３０】
また、洗い・すすぎ工程・脱水工程直後の回転が作用する排水においても、洗濯兼脱水槽３の回転軸を中心とした円周溝の排水経路２２とすることにより、洗濯水の乱流の要因とならないような形状をなすことで、より排水効率の向上だけでなく、泡立ち・異音などを低減するものとなる。
【００３１】
また、円周状に配置させた排水経路２２の溝部の底面２２ａに、排水口９へと下降する傾斜を与えた構成とすることにより、底面２２ａの傾斜が排水時の流出を円滑にし、より排水性能が向上するものとなる。
【産業上の利用可能性】
【００３２】
以上のように、本発明にかかる洗濯機は、洗濯兼脱水槽を内包し底面に排水口を構成する外槽を有する洗濯機において、その外槽からの洗濯水の排水を効率的に行い、残水の低減を可能とするもので、家庭用の洗濯機の他、業務用の洗濯機など脱水性能を向上させる洗濯機等として有効である。
【符号の説明】
【００３３】
１    外槽
２    パルセータ
３    洗濯兼脱水槽
４    サスペンション
５    本体
６    モータ
７    ベルト
８    伝達機構部
９    排水口
１０  ロート部
１１  開口部
１２  排水弁
１３  給水弁
１４  給水ホース
１５  流体バランサー
１６  蓋
１７  制御装置
２２  排水経路
【図１】
2013141555.tif 000003
【図２】
2013141555.tif 000004
【図３】
2013141555.tif 000005
【図４】
2013141555.tif 000006
【図５】
2013141555.tif 000007